(57)【要約】【課題】粘着テープの非粘着面側に切断刃を配置できるとともに、切断後に容易に粘着テープの切断端部に外側が非粘着面から成る折り返し部を形成できる。【解決手段】引き出し部４から引き出された粘着テープ２を切断する切断刃９を、粘着テープ２の非粘着面２ｂ側に配置するとともに、粘着テープ２の切断端部を粘着面２ａどうしが接合するように折り返す折り返し面６ａを有し切断刃９による粘着テープ２の切断時に回動可能な回動部材６と、この回動部材６を粘着テープ２の引き出し方向とは反対方向へ付勢するばね８と、回動部材６の粘着テープ２の引き出し側と反対側である収納部３側において、粘着テープ２の非粘着面２ｂ側に配置され、粘着テープ２の非粘着面２ｂを引き付ける引き付け部材１０とを備えた構成にしてある。【選択図】図１
2007197116.tif 000002
【特許請求の範囲】
【請求項１】
一面に粘着面を、他面に非粘着面をそれぞれ有する粘着テープを収納可能な収納部と、この収納部に収納された上記粘着テープが引き出される引き出し部と、この引き出し部から引き出された上記粘着テープを切断する切断刃とを備えたものにあって、
上記切断刃を上記粘着テープの上記非粘着面側に配置するとともに、
上記粘着テープの切断端部を上記粘着面どうしが接合するように折り返す折り返し面を有し、上記切断刃による上記粘着テープの切断時に回動可能な回動部材と、
この回動部材を上記粘着テープの引き出し方向とは反対方向へ付勢する付勢部材と、
上記回動部材の上記粘着テープの引き出し側と反対側である上記収納部側において、上記粘着テープの上記非粘着面側に配置され、上記粘着テープの上記非粘着面を引き付ける引き付け部材とを備えたことを特徴とするテープカッター装置。
【請求項２】
上記請求項１記載の発明において、
上記引き付け部材が、帯電性部材を含むことを特徴とするテープカッター装置。
【請求項３】
上記請求項１または２記載の発明において、
上記引き付け部材と上記収納部との間に設けられ、上記粘着テープの上記非粘着面側を押圧する回転ローラを備えたことを特徴とするテープカッター装置。
【請求項４】
上記請求項１〜３のいずれか１項記載の発明において、
上記引き付け部材は、上記回動部材側に、上記回動部材の上記折り返し面と対向可能に配置されるテーパ面を有することを特徴とするテープカッター装置。
【発明の詳細な説明】
【技術分野】
【０００１】
本発明は、切断した粘着テープの切断端部を折り返して外側が非粘着部から成る折り返し部を形成することができるテープカッター装置に関する。
【背景技術】
【０００２】
この種の従来技術として、特許文献１に示されるものがある。この従来技術は、一面に粘着面を、他面に非粘着面をそれぞれ有する粘着テープを収納可能なリール、すなわち収納部と、粘着テープの粘着面側に回動可能に配置され、上述の収納部から指で摘んで引き出された粘着テープを切断する切断刃とを備えた構成になっている。また、切断された粘着テープの切断端部を切断刃との間で折り返して、摘み部すなわち、外側が非粘着部から成る折り返し部を形成する円筒状の待機部も備えた構成になっている。
【０００３】
このように構成される従来技術にあっては、粘着テープを必要箇所に貼り付ける際には、例えば貼り付け予定領域の全長に相当する長さとなるように、粘着テープの折り返し部を指先で摘んで引き出して貼り付けることが行われる。また、粘着テープが必要箇所に貼り付けられた後、剥がす際には、粘着テープの外側が非粘着部から成る折り返し部を指先で摘んで引っ張り上げることにより、その粘着テープを簡単に剥がすことができる。
【特許文献１】特許第２９５８３３１号公報
【発明の開示】
【発明が解決しようとする課題】
【０００４】
ところで、粘着テープの貼着作業の作業能率の向上のために、粘着テープを段ボール等の被貼着部材に貼り付ける際に、上述のように粘着テープを貼り付け予定領域の全長に相当する長さとなるように引き出して貼り付けるようなことをしないで、粘着テープの先端部だけを被貼着部材に貼り付け、その後引き続いて粘着テープを保持している本体側を移動させることによって、粘着テープを貼り付け予定領域に貼り付けたい場合がある。このようにして粘着テープを貼り付ける場合には、上述した従来技術の構成とは異なって、切断刃を粘着テープの粘着面とは反対側の面である非粘着面側に配置するようにしたい。しかしながら、単に切断刃を粘着テープの非粘着面側に配置しただけでは、被貼着部材から剥がすときに便利なものとなっている外側が非粘着部から成る折り返し部の形成は難しくなる。
【０００５】
本発明は、上述した従来技術における実状からなされたもので、その目的は、粘着テープの非粘着面側に切断刃を配置できるとともに、切断後に容易に粘着テープの切断端部に外側が非粘着面から成る折り返し部を形成できるテープカッター装置を提供することにある。
【課題を解決するための手段】
【０００６】
この目的を達成するために、本発明は、一面に粘着面を、他面に非粘着面をそれぞれ有する粘着テープを収納可能な収納部と、この収納部に収納された上記粘着テープが引き出される引き出し部と、この引き出し部から引き出された上記粘着テープを切断する切断刃とを備えたものにあって、上記切断刃を上記粘着テープの上記非粘着面側に配置するとともに、上記粘着テープの切断端部を上記粘着面どうしが接合するように折り返す折り返し面を有し、上記切断刃による粘着テープの切断時に回動可能な回動部材と、この回動部材を上記粘着テープの引き出し方向とは反対方向へ付勢する付勢部材と、上記回動部材の上記粘着テープの引き出し側と反対側である上記収納部側において、上記粘着テープの上記非粘着面側に配置され、上記粘着テープの上記非粘着面を引き付ける引き付け部材とを備えたことを特徴としている。
【０００７】
このように構成した本発明は、粘着テープを段ボール等の被貼着部材に貼り付ける際には、まず最初に被貼着部材に粘着テープの先端部を貼り付ける。その後引き続いて収納部を含む本体側を移動させて粘着テープを引き出しながら、その引き出された粘着テープの部分を順次被貼着部材に貼り付けていく。この際、引き出し部からの粘着テープの引き出し操作に伴って回動部材が付勢部材の付勢力に抗して粘着テープの引き出し方向に回動するとともに、粘着テープの非粘着部が引き付け部材に引き付けられる。このようにして被貼着部材の貼り付け予定領域の全体に粘着テープが貼り付けられる。その後この粘着テープが、その非粘着面側に配置された切断刃で切断される。この切断刃で切断された際に、付勢部材の付勢力によって回動部材が粘着テープの引き出し方向と反対方向に回動し、この回動部材の折り返し面によって粘着テープの切断端部が折り返され、この回動部材の折り返し面と引き付け部材との間で、粘着テープの切断端部の粘着部どうしが接合する。すなわち、粘着テープの切断端部に、外側が非粘着面から成る折り返し部が形成される。このように本発明は、粘着テープの非粘着面側に切断刃を配置できるとともに、切断後に付勢部材の付勢力、及び回動部材の折り返し面と引き付け部材を介して容易に粘着テープの切断端部に外側が非粘着部から成る折り返し部を形成できる。
【０００８】
また、本発明は、上記発明において、上記引き付け部材が、帯電性部材を含むことを特徴としている。このように構成した本発明は、粘着テープから発生する剥離静電によって粘着テープを引き付けることができ、切断端部に外側が非粘着部から成る折り返し部を確実に形成することができる。
【０００９】
また、本発明は、上記発明において、上記引き付け部材と上記収納部との間に設けられ、上記粘着テープの上記非粘着面側を押圧する回転ローラを備えたことを特徴としている。このように構成した本発明は、粘着テープの貼着作業に際し、回転ローラの回転によって粘着テープを円滑に引き出すことができるとともに、粘着テープの切断時に、回転ローラを一方の支点とし、切断刃を他方の支点として粘着テープには張力が生じ、この張力によって回動部材を付勢部材の付勢力に抗して大きく開かすことができ、切断と同時に回動部材が勢いよく戻り確実に切断端部を折り返すことができる。
【００１０】
また、本発明は、上記発明において、上記引き付け部材は、上記回動部材側に、上記折り返し面と対向可能に配置されるテーパ面を有することを特徴としている。このように構成した本発明は、粘着テープの切断時に回動部材の折り返し面と引き付け部材のテーパ面との間で粘着テープの切断端部の粘着面どうしを確実に接合させることができ、外側が非粘着面から成る折り返し部の形成が容易である。
【発明の効果】
【００１１】
本発明は、粘着テープの非粘着面側に切断刃を配置できるとともに、切断後に回動部材の折り返し面と引き付け部材との間で粘着テープの切断端部を折り返して、外側が非粘着面から成る折り返し部を形成できる。これにより、被貼着部材に貼られた粘着テープを剥がす際に、折り返し部を把持して容易に粘着テープを剥がすことができ、また、粘着テープの本体側を移動させて行う粘着テープの貼着作業が可能となり、この粘着テープの貼着作業の作業能率を向上させることができる。
【発明を実施するための最良の形態】
【００１２】
以下，本発明に係るテープカッター装置を実施するための最良の形態を図に基づいて説明する。
【００１３】
［本実施形態の構成］
図１は本発明に係るテープカッター装置の一実施形態を示す側面図、図２は図１に示す本実施形態の先端部分を拡大して示した図、図３は図１のＢ方向から見た図、図４は図１のＣ方向から見た図である。
【００１４】
本実施形態に係るテープカッター装置は、図１に示すように、本体１と、この本体１に含まれ、一面に粘着面２ａを、他面に非粘着面２ｂをそれぞれ有する粘着テープ２を収納可能な収納部３と、この収納部３に収納された粘着テープ２が引き出される引き出し部４とを備えている。この引き出し部４には、引き出された粘着テープ２の粘着面２ａが接触して回転するローラ部材１２が含まれている。本体１には、収納部３に収納された粘着テープ２の外周面に対向するように配置される把手１３が取り付けられている。
【００１５】
また、本体１には枠体５が固定され、この枠体５に粘着テープ２を切断する切断刃９を取り付けてある。この切断刃９は、粘着テープ２の非粘着面２ｂ側に配置してある。
【００１６】
枠体５には軸７によって、切断刃９による粘着テープ２の切断時に回動可能な回動部材６を取り付けてある。この回動部材６は、図４に示すように、粘着テープ２の切断端部を粘着面２ａどうしが接合するように折り返す折り返し面６ａを有している。
【００１７】
また、図１に示すように、回動部材６を粘着テープ２の引き出し方向とは反対方向へ、すなわち同図１の右方向である収納部３方向へ付勢する付勢部材、例えばばね８と、図３，４にも示すように、回動部材６の粘着テープ２の引き出し側と反対側である収納部３側において、粘着テープ２の非面着面２ｂ側に配置され、粘着テープ２の非粘着面２ｂを引き付ける引き付け部材１０とを備えている。この引き付け部材１０は、例えば帯電性を有する合成樹脂によって作製され、帯電性部材を構成している。また、この引き付け部材１０は、回動部材６側に、上述の折り返し面６ａと対向可能に配置されるテーパ面１０ａを有している。
【００１８】
さらに本実施形態は、図１に示すように、引き付け部材１０と収納部３との間に設けられ、粘着テープ２の非粘着面２ｂ側を押圧する回転ローラ１１を備えている。
【００１９】
［粘着テープの貼着作業］
図５〜９は粘着テープの貼着動作を示す図で、図５は粘着テープの貼着作業開始時の状態を示す要部側面図、図６は粘着テープの貼着作業の途中の状態を示す要部側面図、図７は図６に示す状態から粘着テープの貼着作業をさらに進めた状態を示す要部側面図、図８は粘着テープの切断時の状態を示す要部側面図、図９は粘着テープの切断直後の状態を示す要部側面図である。
【００２０】
粘着テープ２を被貼着部材、例えば段ボール１４に貼り付けるに際しては、例えば上述した図１に示す把手１３に手のひらを当接し、収納部３に収納された粘着テープ２を挟持した状態で、図５に示すように、回転ローラ１１で粘着テープ２の先端部分を押圧するようにして段ボール２０に貼り付ける。そして、この状態から図６，７に示すように、本体１側を貼り付け予定領域に沿って移動させる。この間、回動部材６の折り返し部６ａが貼着テープ２に係合し、この粘着テープ２の張力によって、同図６，７のＡ１，Ａ２に示すようにばね８の付勢力に抗して回動する。また、粘着テープ２の引き出しに伴って回転ローラ１１が回転する。
【００２１】
粘着テープ２が貼り付け予定領域の全体にわたって引き出され、切断位置に至ると、図８に示すように、粘着テープ２の非粘着面２ｂ側に配置された切断刃９によってこの粘着テープ２が切断される。このとき、切断刃９と回転ローラ１１を支点として粘着テープ２に張力が働き、この張力によって回動部材６はばね８の付勢力に抗して大きく開いて切断刃９に押し付けられる。そして、切断と同時に、付勢力が最大となったばね８によって回動部材６は勢いよく戻り、またこのとき、粘着テープ２の切断端部の一部が引き付け部材１０のテーパ面１０ａに、粘着テープ２の引き出しによって生じた剥離静電によって引き付けられ、粘着テープ２の切断端部の他の部分が回動部材６の折り返し面６ａで折り返される。すなわち、回動部材６の折り返し面６ａと引き付け部材１０との間で、粘着テープ２の切断端部の粘着面２ａどうしが接合し、この粘着テープ２の切断端部に、図９に示すように、外側が非粘着面２ｂから成る折り返し部２ｃを形成することができる。
【００２２】
段ボール１４に貼着された粘着テープ２を剥がす際には、図５，６に示す粘着テープ２の折り返し部２ｃを摘んで、例えば引っ張り上げることにより、容易に粘着テープ２を剥がすことができる。
【００２３】
［本実施形態の効果］
以上のように構成した本実施形態によれば、上述のように、粘着テープ２の非粘着面２ｂ側に切断刃９を配置できるとともに、切断後に回動部材６の折り返し面６ａと引き付け部材１０との間で粘着テープ２の切断端部を折り返して、外側が非粘着面２ｂから成る折り返し部２ｃを形成できる。これにより段ボール１４に貼られた粘着テープ２を剥がす際には、折り返し部２ｃを把持して容易に粘着テープ２を剥がすことができ、また、粘着テープ２の本体１側を移動させて行う粘着テープ２の貼着作業が可能となり、この粘着テープ２の貼着作業の作業能率を向上させることができる。
【００２４】
また、引き付け部材１０が帯電性部材から成ることから、粘着テープ２の切断時に、静電気によって粘着テープ２を引き付け部材１０のテーパ面１０ａに引き付け、回動部材６の折り返し面６ａと引き付け部材１０のテーパ面１０ａとの間で粘着テープ２の切断端部の粘着面２ａどうしを確実に接合させることができ、外側が非粘着面２ｂから成る折り返し部２ｃの形成が容易である。
【００２５】
また、粘着テープ２の非粘着面２ｂ側を押圧する回転ローラ１１を備えたことから、粘着テープ２の貼着作業に際し、回転ローラ１１の回転によって粘着テープ２を円滑に引き出すことができるとともに、切断時に粘着テープ２に張力を働かせて回動部材６を大きく開き、回動部材６を勢いよく戻すことにより確実に切断端部を折り返すことができる。
【００２６】
なお、上記実施形態は、引き付け部材１０の全体を、帯電性を有する合成樹脂によって作製してあるが、本発明は、このように構成することには限られない。例えば引き付け部材１０を、金属から成る基台と、この基台に貼り付けた帯電性を有する合成樹脂板とによって構成してもよい。このように構成したものも、粘着テープ２の切断時に、粘着テープ２の切断端部の一部を静電気を介して引き付け部材１０に引き付けることができ、粘着テープ２の切断端部に折り返し部２ｃを容易に形成できる。
【図面の簡単な説明】
【００２７】
【図１】本発明に係るテープカッター装置の一実施形態を示す側面図である。
【図２】図１に示す本実施形態の先端部分を拡大して示した図である。
【図３】図１のＢ方向から見た図である。
【図４】図１のＣ方向から見た図である。
【図５】粘着テープ貼着動作を示す図で、粘着テープの貼着作業開始時の状態を示す要部側面図である。
【図６】粘着テープ貼着動作を示す図で、粘着テープの貼着作業の途中の状態を示す要部側面図である。
【図７】粘着テープ貼着動作を示す図で、図６に示す状態から粘着テープの貼着作業をさらに進めた状態を示す要部側面図である。
【図８】粘着テープ貼着動作を示す図で、粘着テープの切断時の状態を示す要部側面図である。
【図９】粘着テープ貼着動作を示す図で、粘着テープの切断直後の状態を示す要部側面図である。
【符号の説明】
【００２８】
１    本体
２    粘着テープ
２ａ  粘着面
２ｂ  非粘着面
２ｃ  折り返し部
３    収納部
４    引き出し部
５    枠体
６    回動部材
６ａ  折り返し面
７    軸
８    ばね（付勢部材）
９    切断刃
１０    引き付け部材
１０ａ  テーパ面
１１    回転ローラ
１２    ローラ部材
１３    把手
１４    段ボール（被貼着部材）
【図１】
2007197116.tif 000003
【図２】
2007197116.tif 000004
【図３】
2007197116.tif 000005
【図４】
2007197116.tif 000006
【図５】
2007197116.tif 000007
【図６】
2007197116.tif 000008
【図７】
2007197116.tif 000009
【図８】
2007197116.tif 000010
【図９】
2007197116.tif 000011